(57)【特許請求の範囲】
【請求項１】
役物装置を備えた遊技機において、
前記役物装置は、
モータと、
前記モータの駆動で回転するピニオンギアと、
前記ピニオンギアに噛合するラックギアを一端部に有し、前記ピニオンギアの回転に伴って第１方向に往復移動可能な移動部材と、
前記移動部材を前記第１方向に往復移動可能に支持する支持部材と、
前記支持部材に設けられ、前記ラックギアに対して平行で且つ前記ラックギアとは反対側に向けて配置された直線状の直線ギアと、
前記移動部材の前記一端部とは反対側の他端部で、且つ前記直線ギアが配置されている側に設けられた装飾ユニットと
を備え、
前記装飾ユニットは、
筐体部と、
前記筐体部に回転可能に支持され、前記ピニオンギアの軸方向と平行に配置された回転軸と、
前記回転軸に設けられた第１装飾部材と、
前記回転軸に設けられ、前記直線ギアと直接又は間接的に噛合するギアと、
前記筐体部に設けられ、前記回転軸の径方向に往復移動可能な複数の第２装飾部材と、
前記回転軸に設けられ、前記回転軸を中心に前記回転軸と共に回転することによって、前記回転軸の回転力を、前記複数の第２装飾部材を前記径方向に移動させる動力に変換するカム板と、
前記筐体部に設けられ、前記複数の第２装飾部材の夫々に設けられた複数の被案内部を、前記径方向に往復移動して案内する複数のガイド穴を備えたガイド部材と
を備え、
前記カム板は、前記複数のガイド穴の夫々に案内される前記複数の被案内部が摺動可能に係止する複数の溝カムを備え、
前記移動部材が前記第１方向へ移動する際の前記回転軸の回転方向を第２方向、その反対方向を第３方向とし、且つ前記溝カムを前記回転軸の軸方向から見た場合において、
前記複数の溝カムは夫々、前記カム板の回転中心側から前記径方向外側にかけて、前記第３方向側に傾斜して延び、且つ前記ガイド穴に対して交差する方向に配置されており、
前記複数の溝カムの夫々の前記径方向外側の一端部には、前記第３方向側に略直角に屈曲する屈曲部が設けられたこと
を特徴とする遊技機。
【請求項２】
前記被案内部は、前記ガイド穴及び前記溝カムに摺動可能なコロ部材である
ことを特徴とする請求項１に記載の遊技機。
【発明の詳細な説明】
【技術分野】
【０００１】
本発明は、役物装置を備えた遊技機に関する。
【背景技術】
【０００２】
従来、遊技機の正面には、所定の遊技状態に合わせて動作する役物装置が取り付けられている。役物装置は、可動して演出を行う可動演出部材（装飾部材）と、該可動演出部材を駆動する駆動機構とにより構成されている。駆動機構は、上記可動演出部材に駆動力を与えるモータと、そのモータを駆動する駆動回路を有し、遊技の進行に伴い、可動演出部材に所定の演出動作を行わせる。近年の役物装置は、遊技者の興趣の向上を図るため、可動演出部材の数を増加させる傾向にある。そこで、例えば、複数の可動演出部材を、複数のモータで個別に動作させる遊技機が提案されている（例えば、特許文献１参照）。
【先行技術文献】
【特許文献】
【０００３】
【特許文献１】特開２０１３−２２４６８号公報
【発明の概要】
【発明が解決しようとする課題】
【０００４】
しかしながら、特許文献１に記載の遊技機は、複数の可動演出部材を動作させる為に、多くのモータを備えるので、これらモータにかかる費用が増大するという問題点があった。さらに、モータの数が多いので、遊技機に取り付けるスペースを確保することが困難となる場合があった。また、遊技状態に合わせて、複数の可動演出部材を夫々動作させる必要があるので、モータ制御を効率よく行わなければならなかった。また、各モータの同期がずれた場合、複数の可動演出部材の夫々の動作タイミングがずれるので、複数の可動演出部材による一体した演出効果が得られなくなるという問題点もあった。
【０００５】
本発明の目的は、一つのモータで複数の装飾部材を駆動でき、且つ演出効果の高い役物装置を備えた遊技機を提供することにある。
【課題を解決するための手段】
【０００６】
本発明に係る遊技機は、役物装置を備えた遊技機において、前記役物装置は、モータと、前記モータの駆動で回転するピニオンギアと、前記ピニオンギアに噛合するラックギアを一端部に有し、前記ピニオンギアの回転に伴って第１方向に往復移動可能な移動部材と、前記移動部材を前記第１方向に往復移動可能に支持する支持部材と、前記支持部材に設けられ、前記ラックギアに対して平行で且つ前記ラックギアとは反対側に向けて配置された直線状の直線ギアと、前記移動部材の前記一端部とは反対側の他端部で、且つ前記直線ギアが配置されている側に設けられた装飾ユニットとを備え、前記装飾ユニットは、筐体部と、前記筐体部に回転可能に支持され、前記ピニオンギアの軸方向と平行に配置された回転軸と、前記回転軸に設けられた第１装飾部材と、前記回転軸に設けられ、前記直線ギアと直接又は間接的に噛合するギアと、前記筐体部に設けられ、前記回転軸の径方向に往復移動可能な複数の第２装飾部材と、前記回転軸に設けられ、前記回転軸を中心に前記回転軸と共に回転することによって、前記回転軸の回転力を、前記複数の第２装飾部材を前記径方向に移動させる動力に変換するカム板と、前記筐体部に設けられ、前記複数の第２装飾部材の夫々に設けられた複数の被案内部を、前記径方向に往復移動して案内する複数のガイド穴を備えたガイド部材とを備え、前記カム板は、前記複数のガイド穴の夫々に案内される前記複数の被案内部が摺動可能に係止する複数の溝カムを備え、前記移動部材が前記第１方向へ移動する際の前記回転軸の回転方向を第２方向、その反対方向を第３方向とし、且つ前記溝カムを前記回転軸の軸方向から見た場合において、前記複数の溝カムは夫々、前記カム板の回転中心側から前記径方向外側にかけて、前記第３方向側に傾斜して延び、且つ前記ガイド穴に対して交差する方向に配置されており、前記複数の溝カムの夫々の前記径方向外側の一端部には、前記第３方向側に略直角に屈曲する屈曲部が設けられたことを特徴とする。
【０００７】
本発明に係る遊技機によれば、モータが駆動すると、出力軸が回転し、ピニオンギアが回転する。ピニオンギアの回転によって、ピニオンギアと噛合するラックギアと共に移動部材が第１方向に移動する。移動部材は、支持部材によって第１方向に往復移動可能に支持されている。このとき、移動部材に設けられた装飾ユニットでは、ラックギアに直接又は間接的に噛合するギアが回転するので、回転軸が回転する。これにより、回転軸に設けられた第１装飾部材が回転する。さらに、回転軸の回転力は、カム板によって第２装飾部材を回転軸の径方向に移動させる動力に変換されるので、第１装飾部材が回転しながら第２装飾部材が本体部において回転軸の径方向に移動する。よって、本発明の遊技機は、モータの駆動だけで、移動部材に支持された装飾ユニットを第１方向に移動させながら、装飾ユニットに設けられた第１装飾部材を回転させ、さらに、装飾ユニットの本体部から第２装飾部材を径方向に移動させることができる。つまり、１モータの動力で、装飾ユニット、第１装飾部材、及び第２装飾部材を夫々動かすことができるので、少ない動力で高い演出効果の得られる遊技機を提供できる。
【０００８】
回転軸の第２方向への回転に伴い、カム板が第２方向に回転すると、ガイド穴に対して溝カムが第２方向に回動する。このとき、溝カムは回転中心側から第２方向とは反対の第３方向側に傾斜して延びているので、溝カムが第２方向に回動するにつれて、被案内部はガイド穴に沿って径方向外側に付勢される。よって、第２装飾部材を本体部の外側に向けて移動させることができる。
【０００９】
カム板が回転軸と共に第２方向に回転すると、被案内部が係止する溝カムが回転軸を中心に回動する。このとき、被案内部は溝カムに沿って径方向外側に移動すると共に、ガイド穴においても径方向外側に移動する。そして、被案内部がガイド穴の径方向外側の一端部まで移動すると、溝カムの径方向外側の一端部に設けられた屈曲部まで移動するので、被案内部はガイド穴の径方向外側の一端部と溝カムの屈曲部とに挟まれて保持された状態となる。これにより、第２装飾部材が径方向外側に最大に移動した位置で安定して位置決めされる。
【００１０】
前記被案内部は、前記ガイド穴及び前記溝カムに摺動可能なコロ部材であってもよい。被案内部はコロ部材であるので、ガイド穴と溝カムに対する被案内部の摺動性を向上できる。よって、第２装飾部材を滑らかに移動させることができる。
【図面の簡単な説明】
【００１１】
【図１】パチンコ機１の正面図（役物装置３０可動初期時）である。
【図２】パチンコ機１の正面図（役物装置３０最大可動時）である。
【図３】遊技盤２の正面図である。
【図４】センター飾り８の斜視図である。
【図５】役物装置３０の表面側の斜視図である。
【図６】役物装置３０の裏面側の斜視図である。
【図７】役物装置３０の正面図である。
【図８】役物装置３０の背面図である。
【図９】装飾ユニット８０の正面図（可動初期時）である。
【図１０】装飾ユニット８０の正面図（最大可動時）である。
【図１１】装飾ユニット８０の斜視図（最大可動時）である。
【図１２】装飾ユニット８０の正面側から見た分解斜視図である。
【図１３】装飾ユニット８０の背面側から見た分解斜視図である。
【図１４】ガイド板１４０の正面図である。
【図１５】カム板１６０の正面図である。
【図１６】役物装置３０の第１〜第３段階の動作状態を示す図である。
【図１７】役物装置３０の第４，第５段階の動作状態を示す図である。
【図１８】第１段階における装飾ユニット８０の内部状態を示す図である。
【図１９】第２段階における装飾ユニット８０の内部状態を示す図である。
【図２０】第３段階における装飾ユニット８０の内部状態を示す図である。
【図２１】第４段階における装飾ユニット８０の内部状態を示す図である。
【図２２】第５段階における装飾ユニット８０の内部状態を示す図である。
【発明を実施するための形態】
【００１２】
以下、本発明に係る遊技機の一実施形態である、所謂一般電役タイプのパチンコ機１について、図面を参照して説明する。
【００１３】
先ず、図１〜図４を参照して、パチンコ機１の機械的構成について説明する。図１に示すように、パチンコ機１の上半分の部分には遊技盤２が設けられている。遊技盤２は正面視略正方形の板状であり（図３参照）、透明なガラス板を保持した前面枠１０によって前面を保護されている。遊技盤２の下部には上皿５が設けられている。上皿５は、発射装置（図示略）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられ、遊技者が発射ハンドル７を回転させて発射操作を行うと、発射ハンドル７の回転角度に応じた強度で、発射装置によって遊技球が発射される。前面枠１０の上部の左右の角には、スピーカ２６が夫々設けられている。
【００１４】
図２に示すように、遊技盤２の前面には、ガイドレール３で囲まれた略円形の遊技領域４が形成されている。発射装置（図示略）によって発射された遊技球は、ガイドレール３によって遊技領域４へ導かれ、遊技領域４内を流下する。遊技領域４の略中央には、各種演出を実行するセンター飾り８が設けられている。センター飾り８は、表示画面２８、役物装置３０、ワープ通路３１、クルーン３３、第四図柄作動口１２、第四普通電動役物１９を主に備える。表示画面２８は、センター飾り８の略中央に配置されている。表示画面２８は、例えばＬＣＤ等によって構成され、様々な映像を表示する。表示画面２８は、例えば、普通当たり判定の結果を遊技者に報知する演出用の図柄である演出図柄を表示する。
【００１５】
役物装置３０は、遊技盤２の背面側に取り付けられる機構盤（図示略）に取り付けられ、正面視横長の略楕円形状の装飾ユニット８０を、センター飾り８において表示画面２８の上方に備える。装飾ユニット８０の前面には、「７」の数字と「ＳＥＶＥＮ」の文字を結合してデフォルメした装飾部材９０が設けられている。そして、役物装置３０は、遊技状態に応じて、装飾ユニット８０を下方に移動させながら、装飾部材９０を時計回りに回転させ（図１６，図１７参照）、表示画面２８の略中央まで移動した際には、装飾ユニット８０の外周面の４カ所から、両手と両足をイメージした右手部材１３１、左手部材１３２、右足部材１３３、及び左足部材１３４（以下、総称する場合は「手足部材１３１〜１３４」と呼ぶ）を夫々伸長させることができる（図２参照）。
【００１６】
ワープ通路３１は、センター飾り８において表示画面２８の左方に設けられている。ワープ通路３１は、遊技領域４を流下する遊技球の一部を、センター飾り８の外側から内側へ案内するための通路である。クルーン３３は、センター飾り８において表示画面２８の下方に設けられている。クルーン３３は、上側が開口する断面略Ｕ字状の皿部材である。ワープ通路３１を案内された遊技球は、クルーン３３の内部へ誘導される。第四図柄作動口１２は、センター飾り８においてクルーン３３の内側に設けられている。第四普通電動役物１９は、センター飾り８において表示画面２８の右方に設けられている。
【００１７】
図４に示すように、ワープ通路３１は、ワープ入口３１１と通路部３１２とワープ出口３１３とを備えている。ワープ入口３１１は、センター飾り８の左側の略中央に設けられ、遊技領域４の左側を流下する遊技球の一部をワープ通路３１に受け入れ可能である。通路部３１２は、ワープ入口３１１から右下方に傾斜しながら延設され、ワープ入口３１１から進入した遊技球の通路をなす。ワープ出口３１３は、通路部３１２においてワープ入口３１１が設けられる端部とは反対側の端部に設けられ、通路部３１２を通過した遊技球を排出可能である。センター飾り８は、さらにガイド部３２を備える。ガイド部３２は、ワープ出口３１３から右下方に傾斜しながらワープ出口３１３とクルーン３３とを連結して、ワープ通路３１を通過した遊技球をクルーン３３の内側へ案内する。なお、図３は、表示画面２８、役物装置３０、および第四普通電動役物１９の図示を省略する。
【００１８】
図４に示すように、クルーン３３は、その内側に、ガイド部３２から進入した遊技球が旋回可能な凹部を備えている。凹部の底部には、２つの排出口３３１と第四図柄作動口１２とが形成されている。２つの排出口３３１は、底部の前側に設けられ、凹部の底部まで移動した遊技球をクルーン３３の下側に排出する。第四図柄作動口１２は凹部において２つの排出口３３１よりも後方に設けられている。クルーン３３の内側に進入した遊技球は、凹部の上を旋回し、その旋回力が弱まると、２つの排出口３３１から落下するか、又は第四図柄作動口１２へ入賞する。２つの排出口３３１から落下した遊技球は、クルーン３３の直下に設けられているステージ部３４の上に落下する。ステージ部３４は、センター飾り８の下部において、前下方に向けて僅かに傾斜した斜面部である。ステージ部３４の上に落下した遊技球は、ステージ部３４の上を転動した後、ステージ部３４の前方から遊技領域４へ落下する。
【００１９】
図２に戻り、センター飾り８の略中央下方には、第一図柄作動ゲート１１が設けられ、第一図柄作動ゲート１１の右斜め上方には、第四図柄作動ゲート１３が設けられている。第四図柄作動ゲート１３の右斜め上方には、第一普通電動役物１６が設けられ、第一普通電動役物１６の左斜め下方には、第二普通電動役物１７が設けられ、第二普通電動役物１７の左斜め下方には、第三普通電動役物１８が設けられている。さらに遊技盤２には、上記以外に各種の電飾ランプ、入賞口、風車、および遊技くぎ等が設けられている。
【００２０】
また、遊技盤２の右下部には、第一普通当たり判定、第二普通当たり判定、第三普通当たり判定、および第四普通当たり判定の結果および各判定における保留球数等を、例えばＬＥＤで表示する図柄表示部２４が設けられている。
【００２１】
次に、図５〜図８を参照し、役物装置３０の構造について説明する。なお、図５は、役物装置３０の前面を上方にして寝かせた状態、図６は、役物装置３０の背面側をやや傾けた状態を図示したものである。それ故、パチンコ機１に組み付けた状態の実際の向きとは異なるが、説明の便宜上、パチンコ機１に組み付けたときの方向で、役物装置３０の各種部品を説明する。
【００２２】
役物装置３０は、駆動支持機構４０、移動部材６０、装飾ユニット８０の３つの部位で構成されている。駆動支持機構４０は、役物装置３０を駆動し、且つ役物装置３０全体を支持する部位である。移動部材６０は、駆動支持機構４０により上下に移動されると共に、装飾ユニット８０を遊技盤２の略中央で支持する部位である。装飾ユニット８０は、移動部材６０の上下動に合わせ、２種類の演出動作を行う部位である。役物装置３０は、駆動支持機構４０が、遊技盤２の背面側に取り付けられる機構盤（図示略）に螺子で取り付けられることにより、遊技盤２に間接的に固定される。駆動支持機構４０は、表示画面２８の左側で、且つセンター飾り８の左側部の背面側に隠れて配置される。それ故、パチンコ機１を正面から見た状態では見えないようになっている。
【００２３】
先ず、駆動支持機構４０の構造について説明する。駆動支持機構４０は、正面視上下方向に長い略直方体状の樹脂製の筐体を備える。図５，図６に示すように、この筐体は、前ケース４１１と後ケース４１２を前後に合わせることで構成され、支持本体部４１とギア格納部４２の２つの部位に分かれる。
【００２４】
支持本体部４１は、正面視上下方向に長い略直方体状に形成されている。図７，図８に示すように、支持本体部４１は、その内側に、上下方向に延びる金属棒であるガイド軸５０と、該ガイド軸５０に沿って上下動する移動部材６０を格納する。ガイド軸５０の上端部と下端部は、支持本体部４１の上壁と底壁に夫々固定されている。また、支持本体部４１の上壁の下面には、磁性体である金属板５３が取り付けられている。この金属板５３は、ガイド軸５０に沿って上下動する移動部材６０の上部に埋設された後述する磁石５４と対向する位置関係にある。また、ガイド軸５０の下端部近傍には、右側に一段高く形成された段部５１が設けられ、該段部５１の上面には、ゴム製のストッパ５２が固定されている。
【００２５】
さらに、図５，図６に示すように、支持本体部４１の右側面には、該右側面の長手方向に沿って延びる長方形状の開口４６が設けられている。その開口４６の内側からは、移動部材６０の一部である後述する板状のユニット支持部６２が外側に向かって、支持本体部４１の長手方向に直交する方向に突出している。さらに、その開口４６の開口端の前側を構成する前ケース４１１の右端面には、開口４６の長手方向に対して平行に延びる直線状の直線ギア４５が形成されている。
【００２６】
他方、ギア格納部４２は、支持本体部４１の左側面の略中段位置に、支持本体部４１と内側を連通して設けられ、正面視上下方向に長い略直方体状に形成されている。図６，図８に示すように、ギア格納部４２を構成する後ケース４１２の背面の上側には、略円盤状に後方に隆起する凸状部４２Ａが設けられている。その凸状部４２Ａの下方には、略長方形状に後方に隆起する凸状部４２Ｂが設けられている。凸状部４２Ｂには、略円柱状の取付台２９を介して外側からモータ２７が固定されている。モータ２７は、取付台２９を介して、凸状部４２Ｂの外面に直交する方向に出力軸（図示略）を向けて固定されている。該出力軸は、取付台２９の内部に配置されたギア（図示略）と噛合している。そして、そのギアの回転に伴って回転する回転軸５５が、凸状部４２Ｂに設けた穴（図示略）を介して、ギア格納部４２の内側に延び、その先端部にピニオンギア５６が固定されている。該ピニオンギア５６は、ギア格納部４２の内部の下側に格納され、上記ギア構造により、モータ２７の駆動で回転する。
【００２７】
また、ギア格納部４２の内部の上側であって、ピニオンギア５６に対して上方に離間する位置には、補助ギア５７が回転自在に格納されている。補助ギア５７は、ピニオンギア５６よりも大径である。ピニオンギア５６と補助ギア５７の夫々の軸方向は、役物装置３０の前後方向に向けられ、互いに平行である。ピニオンギア５６と補助ギア５７は、移動部材６０の左側面に設けられた後述するラックギア６５（図７，図８参照）と噛合している。ピニオンギア５６は、モータ２７の駆動で移動部材６０を上下動させ、補助ギア５７は、上下動する移動部材６０を支持する。これにより、移動部材６０は安定して上下動することができる。
【００２８】
そして、上記形成からなる駆動支持機構４０において、支持本体部４１の上面右側、右側面下部、左側面上部、ギア格納部４２の左側面の下部には、夫々、固定片４７が設けられている。各固定片４７には、固定穴４７Ａが設けられている。各固定穴４７Ａには、螺子（図示略）が挿入され、遊技盤２の背面側に取り付けられる機構盤（図示略）において夫々対応する各固定穴（図示略）に締結される。これにより、機構盤に対して、駆動支持機構４０が固定される。
【００２９】
次に、移動部材６０の構造について説明する。図７に示すように、移動部材６０は、正面視逆Ｌ字状に形成され、移動本体部６１とユニット支持部６２を備える。移動本体部６１は、駆動支持機構４０の支持本体部４１の内側に格納され、モータ２７の駆動で上下動される部位である。ユニット支持部６２は、移動本体部６１の右側面の上半分から、支持本体部４１の開口４６を介して、右側方に突出する部位である。
【００３０】
移動本体部６１は、正面視上下方向に長い略長方形の板状に形成され、その下半分は、下方に向かって先細り状に形成されている。移動本体部６１の左側面は上下方向に平行な平面であり、その左側面には、上下方向に延びる板状のラックギア６５が固定されている。さらに、移動本体部６１右側面と、ユニット支持部６２の下面とが連結する円弧状部分には、下方に向けて略台形状に突出する当接部６６が設けられている。当接部６６は、移動部材６０がガイド軸５０に沿って下方に移動した場合に、支持本体部４１の内側に設けられたストッパ５２に当接する。この時、装飾ユニット８０が、表示画面２８の略中央の位置で停まるようになっている。
【００３１】
さらに、移動本体部６１の略中央には、自身の長手方向に沿って、上下方向に延びる被ガイド溝６４が設けられている。この被ガイド溝６４には、支持本体部４１の内側に設けられたガイド軸５０が挿入される。これにより、移動部材６０は、ガイド軸５０に沿って支持本体部４１の内側を上下方向にガイドされる。また、移動本体部６１の上部には、磁石５４が埋設されている。例えば、移動部材６０がガイド軸５０の上端部まで移動した場合、磁石５４は、支持本体部４１の上壁の下面に取り付けられた金属板５３に接近する。このとき、磁石５４の磁力により、移動部材６０は、金属板５３に引きつけられた状態となるので、ギア７１，７２にかかる負荷を軽減できる。
【００３２】
他方、ユニット支持部６２は、正面視略長方形の板状に形成され、移動本体部６１の右側面の上部から右側方に延設されている。ユニット支持部６２の前面は、前方に開口する断面凹状に形成され、その内側の前面には、２枚のギア７１，７２が横並びに、夫々回転自在に設けられている。ギア７１は、ユニット支持部６２の左側に配置され、支持本体部４１の右側面に設けられた直線ギア４５と噛合する。ギア７２は、ユニット支持部６２の右側に配置され、ギア７１と、装飾ユニット８０の後述するギア１７０とに夫々噛合する。このような構成により、移動部材６０が上下動すると、直線ギア４５が上下動するので、該直線ギア４５に噛合するギア７１が回転する。そして、ギア７１の回転に伴い、ギア７２が回転することで、装飾ユニット８０のギア１７０が回転するようになっている。なお、ユニット支持部６２の前面には、ギア７１，７２を覆うようにして、カバー６２１が取り付けられている。
【００３３】
さらに、図６，図８に示すように、ユニット支持部６２の右端部は、右方に向かって先細りになった略台形状に形成され、その先端側の上下の両角部には、一対の固定穴６８が設けられている。さらに、ユニット支持部６２の上端部と下端部において、固定穴６８から左側にやや離間する位置には、背面視略三角形状の一対の固定片６７が設けられている。各固定片６７には、固定穴６７Ａが設けられている。各固定穴６８，６７Ａには、螺子（図示略）が挿入され、装飾ユニット８０の後述する後ケース１８０に設けられた固定穴９８，９９（図１３参照）に締結される。これにより、ユニット支持部６２の右端側に、装飾ユニット８０が固定される。
【００３４】
次に、図９〜図１３を参照し、装飾ユニット８０の構造について説明する。図９，図１０に示すように、装飾ユニット８０は、筐体部８００と装飾部材９０を備える。筐体部８００は、正面視横方向に長い略楕円形状で、且つ前後方向に厚みのある略円柱状に形成されている。装飾部材９０は、上述のように、「７」の数字と「ＳＥＶＥＮ」の文字をデフォルメして結合させた形状を有し、筐体部８００の前面において回転自在に設けられている。図１１，図１２に示すように、例えば、駆動支持機構４０に対して、装飾ユニット８０が上方から最下方位置まで移動すると、筐体部８００の右上部の開口１８５から右手部材１３１が伸び、左上部の開口１８６から左手部材１３２が伸び、右下部の開口１８７から右足部材１３３が伸び、左下部の開口１８８から左足部材１３４が伸びる。手足部材１３１〜１３４が各開口１８５〜１８８から夫々伸びることによって、装飾ユニット８０を、筐体部８００を胴体とする特定のキャラクターに変形させることができる。
【００３５】
図１２，図１３に示すように、装飾ユニット８０は、前面側から順に、装飾部材９０、面板１００、電飾基板１１０、前ケース１２０、手足部材１３１〜１３４、ガイド板１４０、コイルバネ１５０、カム板１６０、ギア１７０、後ケース１８０を備える。筐体部８００は、前ケース１２０と後ケース１８０で構成され、その内側に、手足部材１３１〜１３４、ガイド板１４０、コイルバネ１５０、カム板１６０、ギア１７０等が夫々収納されている。以下、各部材について詳細に説明する。
【００３６】
先ず、後ケース１８０の構造について説明する。図１２，図１３に示すように、後ケース１８０は有底円筒状に形成され、背面視横方向に長い略楕円形状の底板１８１と、該底板１８１の外周に沿って前方に立設された周壁１８２とを備える。底板１８１の略中央部には、後方に向かって凸状に膨らんだ背面視略半円形状のギア配置部１８３が設けられている。ギア配置部１８３の底部中央には、軸穴１８４が設けられている。その軸穴１８４には、装飾部材９０の回転軸９１の後端部が回転自在に挿入される。そして、ギア配置部１８３の左側には、開口部１８９が設けられている。開口部１８９は、ギア配置部１８３の内側に配置されるギア１７０の一部を外部に露出させる。それ故、ギア１７０に対し、移動部材６０のユニット支持部６２に設けられたギア７２を噛合させることができる。
【００３７】
そして、図１３に示すように、後ケース１８０を後方から見た場合に、開口部１８９の上縁部と下縁部であって、ギア配置部１８３の近傍には、固定穴９８が夫々設けられている。さらに、これら一対の固定穴９８から右側方（前方から見て左側方）に離間する位置には、固定穴９９が夫々設けられている。これら一対の固定穴９８と一対の固定穴９９は、移動部材６０のユニット支持部６２の右端部に設けられた一対の固定穴６８と一対の固定穴６８Ａとに夫々対応し、螺子が夫々締結される。これにより、開口部１８９を塞ぐようにして、移動部材６０のユニット支持部６２が、後ケース１８０に固定される。
【００３８】
また、図１２に示すように、周壁１８２の底板１８１側の端部とは反対側の前端部において、前方から見て、右上部、左上部、右下部、左下部の夫々の位置には、矩形状に夫々切り欠かれた開口１８５，１８６，１８７，１８８が形成されている。これら開口１８５〜１８８は、前ケース１２０の周端部によって開口する側を閉塞されることで、手足部材１３１〜１３４を出退させる略長方形状の開口部を形成する。また、底板１８１において、ギア配置部１８３の上側、下側、及び右側の夫々の位置には、固定穴１０７，１０８，１０９（図８，図１３参照）が設けられている。
【００３９】
次に、前ケース１２０の構造について説明する。図１２，図１３に示すように、前ケース１２０は、正面視略楕円形の板状に形成され、その前面側には、外周縁部を残して後方に凹状に窪んだ正面視略楕円形状の凹部１２１（図１２参照）が設けられている。凹部１２１の中心には、円形状の軸穴１２４が設けられている。その軸穴１２４には、装飾部材９０の回転軸９１の後端部が、円筒状のスペーサ９７を介して回転自在に挿入される。さらに、凹部１２１の内側において、軸穴１２４を中心とする仮想円周上に、３つの固定穴１２２が互いに等間隔で設けられている。これら固定穴１２２は、面板１００の後述する３本の円筒部１０２に夫々対向する位置にある。さらに、軸穴１２４の近傍には、コイルバネ１５０の後述する一端部１５１が係止するバネ係止部１２８が設けられている。
【００４０】
また、図１３に示すように、前ケース１２０の背面において、軸穴１２４の上方には、一組の長突起１２３Ａと短突起１２５Ａが設けられ、軸穴１２４の下方には、一組の長突起１２３Ｂと短突起１２５Ｂが設けられ、軸穴１２４の右方には、一組の長突起１２３Ｃと短突起１２５Ｃが設けられ、軸穴１２４の左方には、短突起１２５Ｄのみが設けられている。長突起１２３Ａ〜１２３Ｃは略円筒状に形成され、長突起１２３Ａは、後ケース１８０の固定穴１０７と対向し、長突起１２３Ｂは、後ケース１８０の固定穴１０８と対向し、長突起１２３Ｃは、後ケース１８０の固定穴１０９と対向する。そして、固定穴１０７〜１０９に螺子（図示略）を挿入し、長突起１２３Ａ〜１２３Ｃの夫々の穴に対して締結することで、前ケース１２０と後ケース１８０が互いに固定される。また、短突起１２５Ａ〜１２５Ｄは、長突起１２３Ａ〜１２３Ｃよりも短い略円筒状に形成され、ガイド板１４０に設けられた後述する４つの固定穴１４８Ａ〜１４８Ｄに対して夫々対向する。
【００４１】
次に、面板１００について説明する。図１２，図１３に示すように、面板１００は、透明の樹脂部品であって、正面視横長の略楕円形状に形成されている。面板１００には、例えば、装飾部材９０の「７」の形状に沿ってくり抜いたミラーフィルムが貼付されてもよい。面板１００の中心には、円形状の軸穴１０１が設けられている。その軸穴１０１には、装飾部材９０の回転軸９１が回転自在に挿入される。さらに、面板１００の背面の周縁部であって、軸穴１０１を中心とする仮想円周上には、後方に向かって突出する３本の円筒部１０２が互いに等間隔に設けられている。これら３本の円筒部１０２は、前ケース１２０の凹部１２１内に設けられた３つの固定穴１２２に夫々対応する。そして、各固定穴１２２に螺子（図示略）を挿入し、円筒部１０２に対して締結することで、前ケース１２０の凹部１２１の内側に、面板１００が固定される。
【００４２】
次に、電飾基板１１０について説明する。図１２，図１３に示すように、電飾基板１１０は、面板１００と同様に、正面視横長の略楕円形状に形成されている。電飾基板１１０の前面には、複数のＬＥＤ（図示略）が設けられ、例えば、遊技状態に応じてＬＥＤを点灯又は点滅させることができる。電飾基板１１０の中心には、円形状の軸穴１１１が設けられている。その軸穴１１１には、装飾部材９０の回転軸９１が回転自在に挿入される。また、電飾基板１１０の外周縁部には、３つの半円形状の溝１１２が夫々互いに等間隔に設けられている。３つの溝１１２は、前ケース１２０の凹部１２１内に設けられた３つの固定穴１２２に夫々対応する。これにより、電飾基板１１０を前ケース１２０の凹部１２１の内側に固定した状態では、３つの固定穴１２２は３つの溝１１２の内側に配置される。電飾基板１１０は、面板１００の背面側に配置されるので、遊技者は面板１００を介して電飾基板１１０上のＬＥＤの光を確認できる。
【００４３】
次に、手足部材１３１〜１３４について説明する。図１２，図１３に示すように、手足部材１３１〜１３４は、例えば、右手、左手、右足、左足を、夫々、デフォルメして立体的にデザインした樹脂部品である。手足部材１３１〜１３４の基端部には、円筒状のコロ部材１３１Ａ〜１３４Ａが設けられている。手足部材１３１〜１３４は、装飾部材９０の回転軸９１を中心に、回転軸９１の径方向外側に向かって伸びるように夫々配置され、コロ部材１３１Ａ〜１３４Ａは、回転軸９１に対して平行、且つ前後方向に延びている。後述するが、コロ部材１３１Ａ〜１３４Ａは、ガイド板１４０及びカム板１６０によって、夫々、回転軸９１を中心に放射状にガイドされることにより、手足部材１３１〜１３４の夫々の位置決めを行う。
【００４４】
次に、図１２〜図１４を参照し、ガイド板１４０の形状について説明する。図１４に示すように、ガイド板１４０は、正面視横長の略楕円形状に形成されている。ガイド板１４０の中心には、円形状の軸穴１４５が設けられている。軸穴１４５は、後述するコイルバネ１５０の径よりもやや大きい径を有する。その軸穴１４５には、コイルバネ１５０が配置され、さらにその内側に、装飾部材９０の回転軸９１が回転自在に挿入される。ガイド板１４０には、軸穴１４５を中心に、右上方、左上方、右下方、左下方に向けて夫々延びる、４本の直線状のガイド穴１４１〜１４４が設けられている。これらガイド穴１４１〜１４４の夫々の長手方向の両端部は、円弧状に形成されている。これらガイド穴１４１〜１４４には、手足部材１３１〜１３４のコロ部材１３１Ａ〜１３４Ａが夫々挿入される（図１８参照）。ガイド穴１４１〜１４４の幅は、コロ部材１３１Ａ〜１３４Ａの径よりもやや大きいので、コロ部材１３１Ａ〜１３４Ａは、ガイド穴１４１〜１４４に沿って摺動できる。なお、以下説明では、ガイド穴１４１〜１４４の軸穴１４５側の一端部を「基端部」、その基端部とは反対側で外側に延びる他端部を「外端部」と呼ぶことにする。
【００４５】
また、ガイド穴１４１と１４２に挟まれる間の略中央、ガイド穴１４３と１４４に挟まれる間の略中央、ガイド穴１４１と１４３に挟まれる間の略中央、ガイド穴１４２と１４４に挟まれる間の略中央には、固定穴１４８Ａ〜１４８Ｄが夫々設けられている。これら固定穴１４８Ａ〜１４８Ｄは、上述の前ケース１２０に設けられた短突起１２５Ａ〜１２５Ｄ（図１３参照）に対して夫々対向する。よって、固定穴１４８Ａ〜１４８Ｄに螺子（図示略）を挿入し、短突起１２５Ａ〜１２５Ｄの夫々の穴に締結することで、前ケース１２０の背面側に、ガイド板１４０を固定できる。
【００４６】
さらに、ガイド板１４０において、固定穴１４８Ａの上側には、横長の扁平円形状の穴部１４９Ａが設けられ、固定穴１４８Ｂの下側には、穴部１４９Ａと同形状の穴部１４９Ｂが設けられている。これら穴部１４９Ａ，１４９Ｂには、前ケース１２０と後ケース１８０を互いに連結する長突起１２３Ａ，１２３Ｂが夫々挿入される（図１３，図１８参照）。また、図１３に示すように、ガイド板１４０の背面において、穴部１４９Ａのガイド穴１４２側の近傍には、後方に突出する柱状の突起部１４６が設けられている。さらに、穴部１４９Ｂのガイド穴１４３側の近傍にも、後方に突出する柱状の突起部１４７が設けられている。これら突起部１４６，１４７は、カム板１６０の時計回りへの回動範囲を規制するものである。
【００４７】
次に、図１２，図１３，図１５を参照し、カム板１６０の形状について説明する。図１５に示すように、カム板１６０は、正面視横長の四角形状に形成されている。カム板１６０の中心には、円形状の軸穴１６５が設けられている。その軸穴１６５には、装飾部材９０の回転軸９１が回転自在に挿入される。カム板１６０には、軸穴１６５とカム板１６０の外縁部との間において、正面視反時計回り側に傾斜して延びる４本の溝カム１６１〜１６４が設けられている。そして、溝カム１６１〜１６４の軸穴１６５側の夫々の一端部（以下、「基端部」と呼ぶ）の位置は、軸穴１６５に対して、反時計回り方向にずれている。さらに、溝カム１６１〜１６４は、その長手方向の略中央部分が正面視時計回り側に若干膨らむ略円弧状に形成されている。
【００４８】
さらに、溝カム１６１〜１６４の夫々の基端部とは反対側の他端部（以下、「外端部」と呼ぶ）には、正面視反時計回り側に略直角に屈曲する屈曲部１６１Ａ〜１６４Ａが設けられている。これら溝カム１６１〜１６４には、ガイド板１４０のガイド穴１４１〜１４４と同様に、手足部材１３１〜１３４のコロ部材１３１Ａ〜１３４Ａが夫々挿入される（図１８参照）。溝カム１６１〜１６４の幅は、コロ部材１３１Ａ〜１３４Ａの径よりもやや大きいので、コロ部材１３１Ａ〜１３４Ａは、溝カム１６１〜１６４に沿って摺動できる。
【００４９】
そして、図１２，図１３に示すように、コロ部材１３１Ａ〜１３４Ａは、ガイド板１４０のガイド穴１４１〜１４４、カム板１６０の溝カム１６１〜１６４に対して、ガイド板１４０側から夫々挿入され、それらの各先端部に対して、カム板１６０の背面側から、座金状の留具９５が夫々固定される。これにより、コロ部材１３１Ａ〜１３４Ａは、ガイド穴１４１〜１４４、及び溝カム１６１〜１６４から離脱することなく摺動できる。
【００５０】
また、図１５に示すように、カム板１６０のうち、溝カム１６１と１６２の間の外縁部分は、溝カム１６１の屈曲部１６１Ａの屈曲形状と、溝カム１６２の外縁部の形状とに沿って、切り欠き状に形成されている。そのうち、屈曲部１６１Ａの屈曲形状の内側部分には、係止部１６８が形成されている。係止部１６８は、前ケース１２０と後ケース１８０を連結する長突起１２３Ａに対して、正面視反時計回り方向の上流側から係止する（図１８参照）。その係止部１６８の近傍には、溝状に形成されたバネ係止部１７５が設けられている。バネ係止部１７５には、後述するコイルバネ１５０の他端部１５２が係止する。
【００５１】
他方、カム板１６０のうち、溝カム１６３と１６４の間の外縁部分においても、溝カム１６４の屈曲部１６４Ａの屈曲形状と、溝カム１６３の外縁部の形状とに沿って、切り欠き状に形成されている。そのうち、屈曲部１６４Ａの屈曲形状の内側部分には、係止部１６９が形成されている。係止部１６９は、前ケース１２０と後ケース１８０を連結する長突起１２３Ｂに対して、正面視反時計回り方向の上流側から係止する（図１８参照）。さらに、図１３，図１５に示すように、カム板１６０の背面において、溝カム１６４の基端部と溝カム１６４の基端部の間であって、軸穴１６５の近傍には、後方に向かって突出する柱状の被係止部１６７が設けられている。
【００５２】
そして、カム板１６０のうち、溝カム１６２の屈曲部１６２Ａの外側に位置する外側部１６２Ｂと、溝カム１６３の屈曲部１６３Ａの外側に位置する外側部１６３Ｂは、カム板１６０が時計回りに３６０°回転した場合に、ガイド板１４０に設けられた突起部１４６，１４７に夫々当接する（図５参照）。これにより、カム板１６０の回転を停止させることができる。
【００５３】
次に、コイルバネ１５０について説明する。図１２，図１３に示すように、コイルバネ１５０は、金属線をコイル状に巻回して形成され、自身の軸方向の両端部に、該軸方向に直交する方向に延びる一端部１５１と他端部１５２を備える。コイルバネ１５０は、ガイド板１４０の軸穴１４５の内側に挿入して配置され、その内側には、装飾部材９０の回転軸９１が回転自在に挿入される。コイルバネ１５０の一端部１５１は前ケース１２０側に配置され、他端部１５２はカム板１６０側に配置される。一端部１５１は、前ケース１２０の背面の軸穴１２４近傍に設けられたバネ係止部１２８（図１３参照）に係止する。他端部１５２は、カム板１６０の軸穴１６５の近傍に設けられたバネ係止部１７５に係止する。これらの係止構造により、カム板１６０を時計回りに回転させた場合、カム板１６０には、コイルバネ１５０の反時計回りへのバネ力が働く。
【００５４】
次に、ギア１７０について説明する。図１２，図１３に示すように、ギア１７０は、中央に軸穴１７１を備える。その軸穴１７１には、装飾部材９０の回転軸９１の後端側が挿入され、螺子（図示略）で固定されている。それ故、ギア１７０は、装飾部材９０及び回転軸９１と共に一体して回転する。ギア１７０の前面における軸穴１７１の近傍には、前方に突出する柱状の係止部１７２が設けられている。ギア１７０が時計回りに回転した場合に、係止部１７２は、カム板１６０の背面側に設けられた被係止部１６７に当接し、さらに時計回りに回転して被係止部１６７を付勢することで、カム板１６０を時計回りに回転させることができる。
【００５５】
図１６〜図２２を参照し、役物装置３０の動作について説明する。ここでは、役物装置３０の動作の流れを５段階に分けて順に説明する。
【００５６】
−第１段階−
図１６に示すように、第１段階は、役物装置３０の可動開始時である。装飾ユニット８０は、手足部材１３１〜１３４が筐体部８００内に格納された状態で、駆動支持機構４０の最上部に位置する。このときの装飾部材９０は、「７」の文字の上下左右が正規の位置（回転角度＝０°）にある。
【００５７】
図１８に示すように、装飾ユニット８０の内部では、ガイド板１４０は、図１４に示す上下左右の向きの状態で、前ケース１２０に対して固定されている。それ故、ガイド穴１４１は、軸穴１４５側から右上方向に傾斜して延び、ガイド穴１４２は、軸穴１４５側から左上方向に傾斜して延び、ガイド穴１４３は、軸穴１４５側から右下方向に傾斜して延び、ガイド穴１４４は、軸穴１４５側から左下方向に傾斜して延びる。これらガイド穴１４１〜１４４の位置と方向は、筐体部８００において変わらない。
【００５８】
これに対し、カム板１６０は、回転軸９１に対して回転可能に設けられ、且つコイルバネ１５０によって反時計回りに付勢されている。そして、第１段階では、カム板１６０の係止部１６８が、前ケース１２０と後ケース１８０を連結する長突起１２３Ａに係止し、係止部１６９が、長突起１２３Ｂに係止している。それ故、カム板１６０は、図１５の上下左右の向きに対して、反時計回りにずれた位置で姿勢が保持されている。
【００５９】
さらに、ガイド穴１４１と溝カム１６１の夫々の基端部が互いに重なり、ガイド穴１４２と溝カム１６２の夫々の基端部が互いに重なり、ガイド穴１４３と溝カム１６３の夫々の基端部が互いに重なり、ガイド穴１４４と溝カム１６４の夫々の基端部が互いに重なっている。そして、これらガイド穴１４１〜１４４と溝カム１６１〜１６４の夫々の内側に対して、手足部材１３１〜１３４のコロ部材１３１Ａ〜１３４Ａが配置されている。
【００６０】
その結果、右手部材１３１のコロ部材１３１Ａは、ガイド穴１４１の基端部に押し込まれ、左手部材１３２のコロ部材１３２Ａは、ガイド穴１４２の基端部に押し込まれ、右足部材１３３のコロ部材１３３Ａは、ガイド穴１４３の基端部に押し込まれ、左足部材１３４のコロ部材１３４Ａは、ガイド穴１４４の基端部に押し込まれるので、手足部材１３１〜１３４は、筐体部８００の内側に引き込まれた状態となる。なお、第１段階では、ギア１７０の係止部１７２は、カム板１６０の被係止部１６７に対して、時計回り方向の下流側に隣接している。
【００６１】
−第２段階−
図１６に示すように、第２段階は、モータ２７（図６参照）が駆動し、装飾ユニット８０が下方に移動を開始した後の状態である。モータ２７が駆動すると、回転軸５５と共にピニオンギア５６（図７参照）が正面視時計回りに回転する。ピニオンギア５６の回転により、該ピニオンギア５６に噛合するラックギア６５が下方に移動する。これにより、ラックギア６５と共に移動部材６０が下方に移動する。そして、移動部材６０が下方に移動するに従い、支持本体部４１の右側面に設けられた直線ギア４５に噛合するギア７１は時計回りに回転する。これに伴い、ギア７２は反時計回りに回転するので、装飾ユニット８０のギア１７０は時計回りに回転し始める。よって、装飾部材９０が時計回りに回転し始める。なお、図１６に示す第２段階の装飾部材９０の回転角度は、例えば７６°である。
【００６２】
このとき、装飾ユニット８０の内部では、図１９に示すように、ギア１７０が時計回りに回転し始めるので、ギア１７０に設けられた係止部１７２も回転軸９１を中心に、時計回りに回転する。しかしながら、係止部１７２は、カム板１６０の被係止部１６７には当接しないので、カム板１６０は回転せず、コイルバネ１５０の付勢によってその位置を保持する。よって、手足部材１３１〜１３４は、筐体部８００の内側に引き込まれた状態のままで、装飾部材９０のみが回転する。
【００６３】
−第３段階−
図１６に示すように、第３段階は、第２段階に引き続き、装飾ユニット８０が下方にさらに移動した状態である。装飾ユニット８０の下方への移動に伴い、装飾部材９０はさらに時計回りに回転する。なお、図１６に示す第３段階の装飾部材９０の回転角度は、例えば２８５°である。
【００６４】
このとき、装飾ユニット８０の内部では、図２０に示すように、ギア１７０が時計回りに回転し続けるので、ギア１７０に設けられた係止部１７２も回転軸９１を中心に、時計回りに回転し続ける。そして、第３段階では、係止部１７２は、カム板１６０の被係止部１６７に対して、時計回り方向の上流側から当接する。なお、この段階でも、手足部材１３１〜１３４は、筐体部８００の内側に引き込まれた状態のままである。
【００６５】
−第４段階−
図１７に示すように、第４段階では、第３段階に引き続き、装飾ユニット８０が下方にさらに移動し、装飾部材９０が時計回りに回転し続ける。これに合わせ、装飾ユニット８０の開口１８５〜１８８から、手足部材１３１〜１３４が外側に徐々に移動し始める。なお、図１７に示す第４段階の装飾部材９０の回転角度は、例えば３３２°である。
【００６６】
このとき、装飾ユニット８０の内部では、図２１に示すように、ギア１７０が時計回りに回転し続けるので、ギア１７０に設けられた係止部１７２も回転軸９１を中心に、時計回りに回転し続ける。そして、係止部１７２は、第３段階でカム板１６０の被係止部１６７に当接しているので、第４段階では、コイルバネ１５０のバネ力に反して、被係止部１６７をそのまま時計回りに押し込む。これにより、カム板１６０は、時計回りに回転し始め、カム板１６０の係止部１６８は、長突起１２３Ａから時計回りに離間し、係止部１６９は長突起１２３Ｂから時計回りに離間する。
【００６７】
そして、カム板１６０の回転に伴い、ガイド板１４０のガイド穴１４１〜１４４に対して、カム板１６０の溝カム１６１〜１６４の位置が変わる。例えば、図２０に示すように、第３段階では、ガイド穴１４１の基端部と溝カム１６１の基端部とが互いに重なっているが、この状態からカム板１６０のみが時計回りに回転すると、図２１に示すように、ガイド穴１４１と溝カム１６１とが重なる重複位置が、ガイド穴１４１の外端部に向かって徐々に移動する。そして、この重複位置に、右手部材１３１のコロ部材１３１Ａが位置する。即ち、重複位置の移動に伴い、コロ部材１３１Ａは、溝カム１６１の内縁部によってガイド穴１４１の外端部に向けて徐々に押し上げられる。なお、その他の手足部材１３２〜１３４についても同様の動作を生じる。
【００６８】
−第５段階−
そして、第４段階から、装飾ユニット８０が下方にさらに移動すると、装飾部材９０が時計回りにさらに回転し、装飾ユニット８０の開口１８５〜１８８から、手足部材１３１〜１３４がさらに外側に移動する。そして、装飾ユニット８０を支持する移動部材６０の当接部６６（図７参照）が、支持本体部４１の段部５１に固定されたストッパ５２（図７参照）に当接すると、図１７に示すように、装飾ユニット８０は、支持本体部４１の開口４６（図６参照）における移動範囲の最下端位置で停止する。このとき、装飾部材９０は第１段階から３６０°回転するので、「７」の文字は正規の位置に戻り、手足部材１３１〜１３４は開口１８５〜１８８から最大限の長さで伸びる。
【００６９】
このとき、装飾ユニット８０の内部では、図２２に示すように、カム板１６０がさらに時計回りに回転することによって、ガイド穴１４１〜１４４と溝カム１６１〜１６４とが夫々重なる重複位置が、ガイド穴１４１〜１４４の夫々の外端部まで移動する。これにより、コロ部材１３１Ａ〜１３４Ａは、ガイド穴１４１〜１４４の夫々の外端部で停止するので、手足部材１３１〜１３４の移動は停止する。この状態では、コロ部材１３１Ａ〜１３４Ａは、溝カム１６１〜１６４の屈曲部１６１Ａ〜１６４Ａに嵌り込み、ガイド穴１４１〜１４４との間でロックされた状態となる。これにより、コロ部材１３１Ａ〜１３４Ａは、ガイド穴１４１〜１４４の夫々の外端部で確実に位置決めされるので、手足部材１３１〜１３４は、筐体部８００の開口１８５〜１８８から最も伸びた位置で、安定して位置決めされる。このように、手足部材１３１〜１３４は伸びた状態で確実に停止するので、夫々の動きをシャープに見せることができる。
【００７０】
さらに、手足部材１３１〜１３４が停止すると同時に、それまで時計回りに回転していたカム板１６０のうち、溝カム１６２の外側にある外側部１６２Ｂは、ガイド板１４０の上部に設けられた突起部１４６に当接し、溝カム１６３の外側にある外側部１６３Ｂは、ガイド板１４０の下部に設けられた突起部１４７に当接する。これにより、カム板１６０の時計回りの回転は停止する。そして、カム板１６０の軸穴１６５に固定された回転軸９１の回転も止まるので、装飾部材９０は第１段階から３６０°回転した状態で停止する。こうして、装飾ユニット８０は、図１０，図１１に示す状態となり、筐体部８００を胴体とし、その周囲から手足部材１３１〜１３４が伸びたキャラクターに変形することができる。
【００７１】
本実施形態では、例えば、大当たり等の遊技状態に応じて、役物装置３０を可動させることができる。上記のように、役物装置３０を駆動させると、表示画面２８の上部に配置された装飾ユニット８０が、筐体部８００の前側にある装飾部材９０を回転させながら下方に移動を開始する。そして、その移動する途中から、手足部材１３１〜１３４が筐体部８００の外周から伸び始め、表示画面２８の略中央まで下がって停止したときには、装飾部材９０は可動初期時から３６０°回転して元の状態に戻り、手足部材１３１〜１３４が筐体部８００の外周から最大限に伸びた状態となる。このとき、遊技者から見て真正面に、キャラクターに変形した装飾ユニット８０を配置させることができるので、遊技者の遊技意欲を向上させることができる。
【００７２】
そして、上述のように、役物装置３０は、駆動開始から駆動終了までの間に、（１）装飾ユニット８０の移動、（２）装飾部材９０の回転、（３）手足部材１３１〜１３４の出退動作、の３つの動作を一連の流れとして実行するので、複合的な演出動作をテンポよく効果的に行うことができる。そして、本実施形態は特に、これらの複数の動作を一つのモータ２７で行うことができるので、電力消費の節約、モータにかかる部品コストの節約、役物装置３０の構造の簡素化等を図ることができる。
【００７３】
また、本実施形態では、ギア１７０に設けられた係止部１７２は、回転軸９１が下方向に回転する際の係止部１７２の回動範囲において、その回動範囲の移動開始位置から離間する位置で、カム板１６０に設けられた被係止部１６７と係止するようになっている。これにより、装飾ユニット８０が下方向に移動を開始した直後は、回転軸９１が時計回りに回転を開始するので、装飾部材９０が回転し始めるが、係止部１７２が被係止部１６７と係止するまでは、カム板１６０は回転しない。よって、手足部材１３１〜１３４は動かず、開口１８５〜１８８から外側に出ない。そして、回転軸９１が時計回りにさらに回転し、係止部１７２が被係止部１６７と係止することによって、カム板１６０が時計回りに回転を開始し、手足部材１３１〜１３４が動き出す。このような構造とすることで、手足部材１３１〜１３４が動き出すタイミングを、装飾部材９０が動き出すタイミングに対してずらすことができる。よって、装飾部材９０と手足部材１３１〜１３４を段階的に動作させることができ、特有の演出効果を奏することができる。
【００７４】
また、カム板１６０に設けられた溝カム１６１〜１６４は、回転軸９１の軸方向から見て、時計回り方向側に若干膨らむ略円弧状に形成されているので、カム板１６０が回転軸９１を中心に時計回り方向に回転する場合に、コロ部材１３１Ａ〜１３４Ａを溝カム１６１〜１６４に沿って滑らかに摺動させることができる。これにより、手足部材１３１〜１３４を滑らかに移動させることができる。
【００７５】
なお、詳述しないが、最下端位置まで下がった装飾ユニット８０を上昇させるには、役物装置３０のモータ２７を逆回転させればよい。これにより、上記一連の動作とは反対の動作が行われるので、装飾部材９０が反時計回りに回転しながら、装飾ユニット８０が上方に移動し、外側に伸びていた手足部材１３１〜１３４は、筐体部８００の内側に移動して収納される（図１参照）。
【００７６】
以上説明したように、本実施形態のパチンコ機１は、役物装置３０を遊技盤２の前面に備える。役物装置３０は、駆動支持機構４０、移動部材６０、装飾ユニット８０を備える。駆動支持機構４０は、移動部材６０を上下方向に往復移動可能に支持すると共に、モータ２７と、モータ２７の駆動で回転するピニオンギア５６を備える。移動部材６０は、ピニオンギア５６に噛合するラックギア６５を一端部に有し、ピニオンギア５６の回転に伴って上下方向に移動する。駆動支持機構４０は、そのラックギア６５に対して平行で且つラックギア６５とは反対側に向けて配置された直線ギア４５を備える。装飾ユニット８０は、移動部材６０のラックギア６５を有する一端部とは反対側の他端部で、且つ直線ギア４５が配置されている側に設けられている。これにより、モータ２７が駆動すると、移動部材６０が上下方向に移動するので、該移動部材６０に設けられた装飾ユニット８０も上下方向に移動する。
【００７７】
さらに、装飾ユニット８０は、筐体部８００、回転軸９１、装飾部材９０、ギア１７０、手足部材１３１〜１３４、カム板１６０等を備える。回転軸９１は、筐体部８００に回転可能に支持され、ピニオンギア５６の軸方向に対して平行に配置されている。装飾部材９０は、回転軸９１に設けられている。ギア１７０は、回転軸に設けられ、直線ギア４５に対してギア７１，７２を介して間接的に噛合する。手足部材１３１〜１３４は、筐体部８００に設けられ、回転軸９１の径方向に往復移動する。カム板１６０は、回転軸９１に設けられ、回転軸９１の回転力を、手足部材１３１〜１３４を径方向に移動させる動力に変換する。よって、パチンコ機１は、モータ２７の駆動だけで、移動部材６０に支持された装飾ユニット８０を上下方向に移動させながら、装飾ユニット８０に設けられた装飾部材９０を回転させ、さらに、装飾ユニット８０の筐体部８００から手足部材１３１〜１３４を径方向に移動させることができる。つまり、１つのモータ２７の動力で、装飾ユニット８０、装飾部材９０、及び手足部材１３１〜１３４を夫々動かすことができるので、少ない動力で高い演出効果の得られるパチンコ機１を提供できる。
【００７８】
また、本実施形態では、装飾ユニット８０は、筐体部８００内にガイド板１４０を備える。ガイド板１４０は、ガイド穴１４１〜１４４を備える。ガイド穴１４１〜１４４は、手足部材１３１〜１３４に設けられたコロ部材１３１Ａ〜１３４Ａを、径方向に往復移動して案内する。さらに、カム板１６０は、コロ部材１３１Ａ〜１３４Ａが摺動可能に係止する溝カム１６１〜１６４を備える。溝カム１６１〜１６４を回転軸９１の軸方向から見た場合に、溝カム１６１〜１６４は、カム板１６０の軸穴１６５側から径方向外側にかけて、反時計回り方向に傾斜して延び、且つガイド穴１４１〜１４４に対して交差する方向に配置されている。これにより、回転軸９１と共に、カム板１６０が時計回りに回転すると、ガイド穴１４１〜１４４に対して溝カム１６１〜１６４が時計回りに回動する。このとき、溝カム１６１〜１６４が時計回りに回動するにつれて、コロ部材１３１Ａ〜１３４Ａはガイド穴１４１〜１４４に沿って径方向外側に付勢される。よって、手足部材１３１〜１３４を筐体部８００の外側に向けて移動させることができる。
【００７９】
また、本実施形態では、溝カム１６１〜１６４の夫々の外端部には、反時計回り方向側に屈曲する屈曲部１６１Ａ〜１６４Ａが設けられている。カム板１６０が回転軸９１と共に時計回りに回転すると、コロ部材１３１Ａ〜１３４Ａが係止する溝カム１６１〜１６４が回転軸９１を中心に回動する。このとき、コロ部材１３１Ａ〜１３４Ａは溝カム１６１〜１６４に沿って径方向外側に移動すると共に、ガイド穴１４１〜１４４においても径方向外側に移動する。そして、コロ部材１３１Ａ〜１３４Ａがガイド穴１４１〜１４４の径方向外側の一端部まで移動すると、溝カム１６１〜１６４の径方向外側の一端部に設けられた屈曲部１６１Ａ〜１６４Ａまで移動するので、コロ部材１３１Ａ〜１３４Ａはガイド穴１４１〜１４４の夫々の外端部と溝カム１６１〜１６４の屈曲部１６１Ａ〜１６４Ａとに挟まれて保持された状態となる。これにより、手足部材１３１〜１３４が径方向外側に最大に移動した位置で安定して位置決めされる。
【００８０】
また、本実施形態では、ガイド穴１４１〜１４４及び溝カム１６１〜１６４に、コロ部材１３１Ａ〜１３４Ａを摺動可能に係止するので、手足部材１３１〜１３４を滑らかに移動させることができる。
【００８１】
なお、上記説明において、上方から下方に向かう方向が本発明の「第１方向」に相当し、時計回り方向が本発明の「第２方向」に相当し、反時計回り方向が本発明の「第３方向」に相当する。また、装飾部材９０が本発明の「第１装飾部材」に相当し、駆動支持機構４０が本発明の「支持部材」に相当し、手足部材１３１〜１３４が本発明の「第２装飾部材」に相当する。
【００８２】
また、本発明に係る遊技機において、前記カム板は、前記回転軸に回転可能に支持され、前記装飾ユニットは、前記カム板を前記第３方向に付勢する付勢手段と、前記筐体部に設けられ、前記付勢手段の付勢力によって前記第３方向に回転する前記カム板に設けられた第１係止部が係止することによって、前記カム板の前記第３方向への回転を停止させる第１被係止部と、前記ギア又は前記回転軸に設けられ、前記回転軸の回転に伴って、前記回転軸の軸回りを回動する第２係止部と、前記カム板に設けられ、前記回転軸が前記第２方向へ回転する際に、前記回転軸と共に前記第２方向へ回動する前記第２係止部が係止することによって、前記付勢手段による付勢力に抗して前記カム板を前記第２方向へ回転させる第２被係止部とを備えてもよい。
【００８３】
装飾ユニットが第１方向に移動する場合、支持部材に設けられた直線ギアに噛合するギアが回転するので、回転軸が第２方向に回転する。このとき、回転軸の回転に伴って第２係止部が第２方向に回動し、更に第２被係止部に係止することによって、カム板が第２方向へ押されて回転する。これにより、第２装飾部材は径方向外側に移動できる。また、カム板は付勢手段によって第３方向に付勢されているので、第２方向に回動する第２係止部と第２被係止部の間を隙間なく密着させることができる。これにより、回転軸の第２方向への回転に合わせて、カム板を第２方向へ回転させ、第２装飾部材を径方向外側に移動させることができる。
【００８４】
前記第２係止部は、前記回転軸が前記第２方向に回転する際の前記第２係止部の回動範囲において、前記回動範囲の移動開始位置から離間する位置で、前記第２被係止部と係止してもよい。装飾ユニットが第１方向に移動を開始した直後、回転軸が第２方向に回転を開始するので、第１装飾部材は回転し始める。これに対し、回転軸が第２方向に回転し、第２係止部が第２被係止部と係止するまでは、カム板は回転しないので、第２装飾部材は動かない。そして、回転軸が第２方向に回転してから第２係止部が第２被係止部と係止することによって、カム板が回転を開始し、第２装飾部材が動く。これにより、第２装飾部材が動き出すタイミングを、第１装飾部材の動き出すタイミングに対してずらすことができる。よって、第１装飾部材と第２装飾部材とが段階的に動作するという演出効果を奏することができる。
【００８５】
前記筐体部は、正面視略円形状であって、前記第２装飾部材は、前記筐体部を正面から見た場合に、右上、右下、左上、及び左下において、前記径方向に往復移動可能に夫々設けられ、前記ガイド部材は、４つの前記第２装飾部材の前記被案内部に対応する４つの前記ガイド穴を備え、前記カム板は、４つの前記第２装飾部材の前記被案内部に対応する４つの前記溝カムを備えてもよい。この構成によって、装飾ユニットは、筐体部を胴体、右上と左上の第２装飾部材を両手、右下と左下の第２装飾部材を両足として、擬人化して遊技者に見せることができる。また、装飾ユニットが第１方向において往復移動することによって、胴体から両手と両足が出退するという特有の演出効果を奏することができる。
【００８６】
前記溝カムは、前記回転軸の軸方向から見た場合に、前記第２方向側に膨らむ略円弧状に形成されてもよい。溝カムは第２方向側に膨らむ略円弧状であるので、カム板が回転軸を中心に第２方向に回転する場合に、被案内部を溝カムに沿って滑らかに摺動させることができる。
【００８７】
前記第１方向は、上方から下方、又は下方から上方に向かう方向であって、前記モータが前記出力軸を回転し、前記移動部材が上方から下方、又は下方から上方に移動する場合に、前記回転軸が前記第２方向に回転するようにしてもよい。この構成によって、装飾ユニットが上方から下方、又は下方から上方に移動する動作に合わせ、第１装飾部材が回転し、第２装飾部材が径方向に移動するという特有の演出効果を奏することができる。
【００８８】
前記第１方向は、上方から下方に向かう方向であって、前記支持部材には、前記移動部材が最上部に移動した位置に、前記移動部材に設けられた第１当接部と当接する第２当接部が設けられ、前記第１当接部及び前記第２当接部の何れか一方には磁石が設けられ、他方には磁性体が設けられてもよい。これにより、移動部材が下方から上方に移動する場合、第１当接部が第２当接部に引きつけられるので、モータにかかる負担を軽減できる。
【００８９】
前記移動部材は、前記第１方向に対して平行に延設され、前記移動部材の前記一端部及び前記他端部は、前記移動部材の長手方向に直交する方向の一端部及び他端部であって、前記移動部材の前記他端部には、前記装飾ユニットの前記筐体部を支持する支持部が設けられ、前記支持部は、前記長手方向に直交する方向に、且つ前記直線ギアが配置されている側に延設されてもよい。移動部材は、第１方向に対して平行に延設されているので、そのような移動部材の一端部にラックギアを設けることで、ラックギアを第１方向に対して平行に長くできる。これにより、装飾ユニットの第１方向における移動距離を長くできるので、装飾ユニットの第１方向への移動をダイナミックに演出できる。また、装飾ユニットは、移動部材の支持部に支持され、その支持部は、移動部材の長手方向に直交する方向で、且つ直線ギアが配置されている側に延設されているので、モータや移動部材から離れた位置で、装飾ユニットを動かすことができる。これにより、例えば、所定の遊技状態になった場合に、遊技盤の中央において装飾ユニットを動かすことができるので、よりダイナミックな演出効果を奏することができる。
【００９０】
前記支持部材は、前記ピニオンギアと同方向に回転可能であって、前記ラックギアと噛合する補助ギアを備えてもよい。ラックギアに補助ギアが噛合することによって、移動部材が安定的に支持されるので、サイズの大きい移動部材であっても、第１方向に安定して移動させることができる。
【００９１】
前記支持部材は、前記第１方向に対して平行に延び、前記移動部材を前記第１方向に案内するガイド軸を備えてもよい。支持部材はガイド軸に沿って移動部材を第１方向に案内するので、移動部材は第１方向に安定して移動できる。
【００９２】
なお、本発明は、上記の実施形態に限定されるものではなく、種々の変更が可能である。例えば、上記実施形態の役物装置３０では、移動部材６０を用いて装飾ユニット８０を上下方向に移動させるが、上下方向に限らず、例えば、左右方向、斜め方向等に移動させてもよい。
【００９３】
また、役物装置３０の筐体部８００の形状、装飾部材９０の形状、手足部材１３１〜１３４の夫々の形状は、上記実施形態の形状に限らず、自由に変更可能である。さらに、手足部材１３１〜１３４の装飾部材については、本数や場所等を変更してもよい。
【００９４】
また、上記実施形態では、例えば、パチンコ機１が特定の遊技状態になった時に、役物装置３０を駆動させる。その時の動作の一例として、上述のように、装飾ユニット８０を下方に連続的に移動させることによって、装飾部材９０を時計回りに回転させ、さらに、手足部材１３１〜１３４を筐体部８００から伸長させることができる。その他に、例えば、装飾ユニット８０を上下に小刻みに移動させることによって、装飾部材９０を時計回りと反時計回りに交互に回転させ、さらに、手足部材１３１〜１３４を筐体部８００から小刻みに出退させることができる。
【００９５】
また、上記実施形態では、駆動支持機構４０の支持本体部４１の上壁の下面に金属板５３を取り付けているが、金属板５３は磁石でもよい。また、支持本体部４１の上壁の下面に磁石５４を取り付け、移動部材６０の上部に金属板５３を取り付けてもよい。
【００９６】
また、上記実施形態では、装飾ユニット８０を下方に移動する第５段階で、ギア１７０に設けられた係止部１７２が、カム板１６０に設けられた被係止部１６７に係止するようになっているが、第１段階から係止部１７２を被係止部１６７に係止させるようにしてもよい。この場合、装飾ユニット８０が下方に移動を開始した時から、手足部材１３１〜１３４が筐体部８００の開口１８５〜１８８から外側に伸びるので、上記実施形態とは異なる動作をさせることができる。
【００９７】
また、上記実施形態では、装飾ユニット８０が下方に移動する場合に、装飾部材９０は時計回りに回転するが、例えば、ユニット支持部６２に配置されるギア７１，７２に一枚ギアを配置することで、ギア１７０を回転させる方向を変えることができる。この場合、装飾部材９０は反時計回りに回転する。なお、装飾部材９０を反時計回りに回転させる場合、カム板１６０の溝カム１６１〜１６４の傾斜する方向を、図１５が示す方向に対して反対にすればよい。
【００９８】
また、上記実施形態では、装飾ユニット８０のギア１７０は、ギア７１，７２を介して、直線ギア４５と間接的に噛合するが、例えば、移動部材６０のユニット支持部６２を省略し、ギア１７０と直線ギア４５を直接噛合させてもよい。
【００９９】
また、上記実施形態では、上方から下方に向かう方向を本発明の「第１方向」としたが、下方から上方に向かう方向を「第１方向」としてもよい。即ち、役物装置３０は、装飾ユニット８０を下方から上方に移動する際に、装飾部材９０を回転させ、手足部材１３１〜１３４を伸長させてもよい。
【０１００】
なお、請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示画面」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１０１】
１    パチンコ機
３０    役物装置
４０    駆動支持機構
４５    直線ギア
５６    ピニオンギア
６０    移動部材
６５    ラックギア
８０    装飾ユニット
９０    装飾部材
９１    回転軸
１３１〜１３４    手足部材
１３１Ａ〜１３４Ａ  コロ部材
１４０    ガイド板
１４１〜１４４    ガイド穴
１６０    カム板
１６１〜１６４    溝カム
１６１Ａ〜１６４Ａ  屈曲部
８００    筐体部
【図１】
0006509544.tif 000002
【図２】
0006509544.tif 000003
【図３】
0006509544.tif 000004
【図４】
0006509544.tif 000005
【図５】
0006509544.tif 000006
【図６】
0006509544.tif 000007
【図７】
0006509544.tif 000008
【図８】
0006509544.tif 000009
【図９】
0006509544.tif 000010
【図１０】
0006509544.tif 000011
【図１１】
0006509544.tif 000012
【図１２】
0006509544.tif 000013
【図１３】
0006509544.tif 000014
【図１４】
0006509544.tif 000015
【図１５】
0006509544.tif 000016
【図１６】
0006509544.tif 000017
【図１７】
0006509544.tif 000018
【図１８】
0006509544.tif 000019
【図１９】
0006509544.tif 000020
【図２０】
0006509544.tif 000021
【図２１】
0006509544.tif 000022
【図２２】
0006509544.tif 000023